(57)【特許請求の範囲】
【請求項１】
フラップドアの後面の左右両側部に上下方向を向く１対のガイドレールを固着し、該両ガイドレールを、什器本体の前端上部に設けた１対のガイド手段に、左右軸まわりに回動可能かつレールの長手方向に摺動可能として係合させることにより、前記フラップドアを、什器本体の前面開口部を閉塞する位置から、什器本体の上部において水平をなす開放位置まで案内して回動しうるようにしたフラップドア付収納什器において、
前記フラップドアの後面上部における左右のガイドレール間に、左右方向を向くとともに、後方への突出寸法が前記ガイドレールの前後寸法とほぼ同等をなす閉塞部材を、前記左右のガイドレール間の隙間を塞ぐようにして、フラップドアと一体的に連設したことを特徴とするフラップドア付収納什器。
【請求項２】
フラップドアと閉塞部材とを、合成樹脂により一体的に形成した請求項１記載のフラップドア付収納什器。
【請求項３】
フラップドア及び閉塞部材を薄肉の中空状としてなる請求項２記載のフラップドア付収納什器。
【請求項４】
フラップドアの前面下部に、前方に突出する突条を、左右方向にほぼ全長に亘って形成してなる請求項１〜３のいずれかに記載のフラップドア付収納什器。
【発明の詳細な説明】
【０００１】
【発明の属する技術分野】
本発明は、例えば机やローパーティションの上部に設置される跳ね上げ式のフラップドアを備える収納什器に関する。
【０００２】
【従来の技術】
この種のフラップドアを備える収納什器は、例えば特開平１０−１９６２０９号に開示されているように、フラップドアの開閉動作を案内するガイドレールは、フラップドアの跳ね上げ回動が支障なく行われるように、フラップドアの後面の左右両側部に設けられているのが一般的である。
【０００３】
このように、ガイドレールをフラップドアの後面の左右両側部に設けると、フラップドアを閉じた際に、その後面と什器本体の前面との対向面間において左右のガイドレールとの間に、ガイドレールの前後寸法に相当する分の隙間が形成されることが避けられない。
従来においては、上記隙間は開放したままとされていた。
【０００４】
【発明が解決しようとする課題】
そのため、フラップドアが閉じられているとき、それと什器本体との間の隙間の上方より、塵埃等が什器本体内に入り込み、内部に収納した物品に埃が付着することがある。
【０００５】
また、従来のフラップドアは、木製もしくは板金製のものが殆どであるため、比較的重く、その開閉操作を軽快に行うことができない。
特に、水平の開放状態にあるフラップドアに指を掛けて下方に回動させる際に、指が滑ることがある。
【０００６】
本発明は、上記問題点に鑑みてなされたもので、フラップドアが閉じられた際、それと什器本体間の上部に形成される隙間を閉塞しうるようにし、什器本体内に塵埃等が入り込むのを防止するとともに、フラップドアの開閉操作を容易に行いうるようにした、フラップドア付収納什器を提供することを目的としている。
【０００７】
【課題を解決するための手段】
本発明によると、上記課題は、次のようにして解決される。
(１) フラップドアの後面の左右両側部に上下方向を向く１対のガイドレールを固着し、該両ガイドレールを、什器本体の前端上部に設けた１対のガイド手段に、左右軸まわりに回動可能かつレールの長手方向に摺動可能として係合させることにより、前記フラップドアを、什器本体の前面開口部を閉塞する位置から、什器本体の上部において水平をなす開放位置まで案内して回動しうるようにしたフラップドア付収納什器において、前記フラップドアの後面上部における左右のガイドレール間に、左右方向を向くとともに、後方への突出寸法が前記ガイドレールの前後寸法とほぼ同等をなす閉塞部材を、前記左右のガイドレール間の隙間を塞ぐようにして、フラップドアと一体的に連設する。
【０００８】
(２) 上記(１)項において、フラップドアと閉塞部材とを、合成樹脂により一体的に形成する。
【０００９】
(３) 上記(２)項において、フラップドア及び閉塞部材を薄肉の中空状とする。
【００１０】
(４)上記(１)〜(３)項のいずれかにおいて、フラップドアの前面下部に、前方に突出する突条を、左右方向にほぼ全長に亘って形成する。
【００１１】
【発明の実施の形態】
以下、本発明の実施形態を、図面に基づいて説明する。
図１は、本発明を適用したフラップドア付キャビネット(１)(１)を、机(２)における天板(３)の後端部に立設した左右１対の支柱(４)(４)の上端に、互いの側板同士を結合することにより、左右方向に２個並べて設けた例を示している。
【００１２】
図２に示すように、各キャビネット(１)は、前面が開口された方形箱状の筐体(５)の側端部下面の後方寄りを、支持板(６)を介して支柱(４)の上端に固着することにより、支柱(４)の中心より若干前方に偏倚させて支持されている。
【００１３】
筐体(５)の前面開口部には、これを覆いうる大きさの横長方形をなすフラップドア(７)が、後記するガイド機構に案内されて跳ね上げ可能に設けられている。
【００１４】
フラップドア(７)は、透明又は半透明の透光性を有する合成樹脂材により形成された、薄肉中空状のドア本体(7a)と、その左右両端に嵌着されたエンドキャップ(7b)(7b)とからなり、エンドキャップ(7b)は、不透光性の合成樹脂材により形成されている。
【００１５】
上記ドア本体(7a)は、その内部における前後の対向面間に接続された、左右方向を向く上下複数の平板状リブ(８)により補強されている。
【００１６】
ドア本体(7a)の前面は、前方になだらかに膨出する円弧面とされ、その下端部には、前方に突出する突条(９)が、左右方向全長に亘って形成され、この突条(９)は、図２の２点鎖線で示すように、上限位置まで開いたフラップドア(７)を閉じる際の指掛け部として機能する。
【００１７】
また、ドア本体(7a)の前面には、意匠的効果を高めるために、細溝状の上下複数の凹条(10)が、左右方向全長に亘って形成されている（図３参照）。
ドア本体(7a)の後面の上端部には、後記する左右のガイドレール(17)間の隙間を塞ぐための後向きに突出する中空ダクト状の閉塞杆(11)が、左右方向全長に亘って一体的に連設されている。
【００１８】
なお、上記閉塞杆(11)と後記するガイドレール(17)の前後寸法は、ほぼ等しくしてある。
【００１９】
ドア本体(7a)の後面の下端部には、左右方向を向く凹溝(12)が形成され、この凹溝(12)は、フラップドア(７)を開く際の指掛け部として機能するとともに、フラップドア(７)を閉扉状態に保持する保持手段、例えばマグネットキャッチ(13)等を取付けるための取付部となっている。
【００２０】
上記エンドキャップ(7b)は、図３に示すように（左右対称につき、右方のみ図示する）、上下寸法と前後面の形状がドア本体(7a)とほぼ等しく形成され、その内側面には、ドア本体(7a)の側端部の中空孔内に嵌合しうるとともに、上下の各リブ(８)を上下より挟持しうる挟持片(14)を備える嵌合片(15)が、一体的に連設されている。
【００２１】
左右のエンドキャップ(7b)の嵌合片(15)を、ドア本体(7a)の両側端部の中空孔内に圧入することにより、フラップドア(７)が組立てられている。
【００２２】
フラップドア(７)の両側端部の後面、すなわち、左右のエンドキャップ(7b)の後面には、図２に示すように、上下方向を向くとともに、上端と下端部寄りにストッパ片(16)を有する後向きコ字形のガイドレール(17)が取付けられている。
【００２３】
なお、ガイドレール(17)を取付けると、両ガイドレール(17)間における筐体(５)の前端とドア本体(7a)の後面との間に隙間が形成されるが、この隙間は、ドア本体(7a)の後面の上端部に突設された上記閉塞杆(11)により塞がれる。
【００２４】
各ガイドレール(17)のコ字空間内には、筐体(５)の上板(5a)の前端部に固着したブラケット(18)に枢着された、左右方向を向く軸回りに回転するガイドローラ(19)が嵌挿されている。
【００２５】
ガイドローラ(19)は、フラップドア(７)が閉扉状態にあるとき、上方のストッパ片(16)と当接し、また、同じく２点鎖線のように、フラップドア(７)を上限の水平位置まで開いたとき、下方のストッパ片(16)と当接し、筐体(５)の前端より若干突出するようになっている。
【００２６】
筐体(５)における左右の側板(5a)の内側面には、例えば内部に渦巻ばね（図示略）が収容された公知の荷重バランス装置(20)が取付けられ、それより斜め下向きに延出する回動アーム(21)の先端は、ガイドレール(17)の下端部に枢着されている。
【００２７】
上記荷重バランス装置(20)は、フラップドア(７)を、その重量よりやや大きい上向きの付勢力により支持し、フラップドア(７)が軽快に開かれるようになっている。
【００２８】
上記実施形態のフラップドア付キャビネット(１)において、ドア本体(7a)は、透光性を有する材料により形成されているため、図２の２点鎖線で示すように、フラップドア(７)が上限位置まで開かれ、筐体(５)の前方に庇状に突出しても、その突出部が天井の照明器具の光を遮ったり、机(２)の天板(３)上に影を落としたりすることはなく、天板(３)の上面が暗くなるのが防止される。
【００２９】
また、見上げた際、突出部が目立ちにくくなるため、見栄えがよく、かつ圧迫感も小さくなる。
フラップドア(７)の側端部のエンドキャップ(7b)は、不透明としてあるので、フラップドア(７)が閉じられているとき、後面に取付けたガイドレール(17)等が前方より透過されて見えることはなく、見栄えが向上する。
【００３０】
ドア本体(7a)は、合成樹脂材により中空状に形成されているため、軽く、フラップドア(７)の開閉操作が容易となる。
【００３１】
また、ドア本体(7a)の前面下部には、指掛け用の突条(９)が形成されているため、開いたフラップドア(７)を閉じる際の操作が容易となる。
【００３２】
さらに、ドア本体(7a)の裏面の上端部に閉塞杆(11)を設け、左右のガイドレール(17)間における筐体(５)とドア本体(7a)との間の隙間の上部を塞いでいるため、キャビネット内に塵埃等が侵入するのが防止される。
また、閉塞杆(11)は、補強作用も有するので、ドア本体の(7a)の撓みも防止される。
【００３３】
上記実施形態では、ドア本体(7a)全体を透光性を有するものとしたが、フラップドア(７)を開いたときに筐体(５)より前方に突出する部分のみを透光性とし、他の部分は不透光性としてもよい。
【００３４】
この方法としては、例えばドア本体(7a)全体を透光性を有する材料により形成し、突出部を除いた部分を塗装等により着色するか、又は不透明な粘着テープ等を貼るなどすればよい。
エンドキャップ(7b)も、ガイドレール(17)が透けて見えない程度に半透明とすることもある。
上記ガイドローラ(19)の代わりに、左右方向を向くガイドピンとし、これをガイドレールに形成したガイド溝に摺動可能として係合させるようにしてもよい。
【００３５】
【発明の効果】
請求項１記載の発明によれば、フラップドアを閉じた際に生じる左右のガイドレール間の上端部の隙間は、フラップドアの後面に突設した閉塞部材によりほぼ閉塞されるので、その隙間より塵埃等が什器本体内に入り込むのが防止される。
また、閉塞部材は、左右のガイドレール間の隙間を塞ぐようにして、フラップドアと一体的に連設されているので、フラップドアが補強され、フラップドアが撓んだりするのが防止される。
【００３６】
請求項２記載の発明によれば、閉塞部材を、フラップドアの樹脂成形と同時に一体成形しうるので、別部材としての閉塞部材を用意したり、面倒な取付け作業を省略したりすることができ、コスト低減が可能となる。
【００３７】
請求項３記載の発明によれば、フラップドア及び閉塞部材のが軽量化が図れるので、フラップドアの開閉操作を軽快に行うことができる。
【００３８】
請求項４記載の発明によれば、フラップドアを水平の開放位置から閉じる際において、突条を指掛け部として下方に回動しうるので、指が滑るなどの恐れはなく、フラップドアの閉扉操作が容易となる。
【図面の簡単な説明】
【図１】本発明を適用したフラップ付キャビネットの斜視図である。
【図２】図１のII−II線の拡大縦断側面図である。
【図３】フラップドアの分解斜視図である。
【符号の説明】
(１)キャビネット
(２)机
(３)天板
(４)支柱
(５)筐体（什器本体）
(６)支持板
(７)フラップドア
(7a)ドア本体
(7b)エンドキャップ
(８)リブ
(９)突条
(10)凹条
(11)閉塞杆（閉塞部材）
(12)凹溝
(13)マグネットキャッチ
(14)挟持片
(15)嵌合片
(16)ストッパ片
(17)ガイドレール
(18)ブラケット
(19)ガイドローラ（ガイド手段）
(20)荷重バランス装置
(21)回動アーム
【図１】
0003766310.tif 000002
【図２】
0003766310.tif 000003
【図３】
0003766310.tif 000004